(57)【要約】【課題】  簡易な構成で、リーダライタ部とＩＣカードとの通信を規制することができるＩＣカード収納体を提供する。【解決手段】  リーダライタ部との間で高周波信号により通信を行うＩＣカードを収納可能なＩＣカード収納体において、前記リーダライタ部と前記ＩＣカードとの間の通信効率を低下させる通信規制手段とを備える。【選択図】      図１
2005267504.tif 000002
【特許請求の範囲】
【請求項１】
リーダライタ部との間で無線通信を行うＩＣカードを収納可能なＩＣカード収納体において、
前記リーダライタ部と前記ＩＣカードとの間の通信効率を正規の通信状態に比べて低下させる通信規制手段を備えることを特徴とするＩＣカード収納体。
【請求項２】
前記通信規制手段が、前記無線通信に使用される高周波信号または前記高周波信号の近傍の周波数に共振する共振回路を有することを特徴とする請求項１に記載のＩＣカード収納体。
【請求項３】
前記通信規制手段が、前記共振回路を開状態または閉状態に切り替える切り替え部と、
前記切り替え部を駆動させるスイッチ部とを備えることを特徴とする請求項２に記載のＩＣカード収納体。
【発明の詳細な説明】
【技術分野】
【０００１】
本発明は、ＩＣチップの読み取り及び書き込みを行うリーダライタ部と通信を行うＩＣカードとの間において、通信を妨害するＩＣカード収納体に関するものである。
【背景技術】
【０００２】
近年、キャッシュレス化の進展や電子マネーの普及に伴い、流通等の様々な分野でＩＣカードを利用したサービスやシステムが各種提供されている。その中でも特に使い易さ等の点において、非接触式のＩＣカードが注目を集めている（例えば、特許文献１参照）。また、この非接触式のＩＣカード内に内蔵されている超小型なＩＣチップに、電子マネーや電子チケット（定期券、乗車券、航空券等）の電子的価値情報（電子バリュー）を格納し、各種決済、例えば、駅の自動券売機の決済、飲料等の自動販売機の決済及び店舗での決済や各種施設への入場等に利用することが考えられている。また、一般に、上記のような非接触式のＩＣカードとデータの送受信を行うことが可能なＩＣカード読取り書込み装置も提案されている（例えば、特許文献２参照。）。
【０００３】
これらは、ＩＣカード保持者が、ＩＣカード読取り書込み装置にＩＣカードを近接するようにかざすことにより、リーダライタ装置から供給される電波（電磁波）によって電力の供給が行われる。電力が供給されたＩＣカードは、内部のＩＣチップに記録されている情報を読み取ったり、新たな情報をＩＣチップに書き込んだりし、上述した電子マネーによる各種決済等を行うことができる。
【特許文献１】特開２００２−１３３３７８号公報
【特許文献２】特開２００３−１４１４６３号公報
【発明の開示】
【発明が解決しようとする課題】
【０００４】
しかしながら、ＩＣカード読取り書込み装置（リーダライタ部）に非接触型のＩＣカードを近づけるだけで、簡単にＩＣカード内のデータの読み取り及び書き込みが行われる。このため、ＩＣカード保持者は、自分の意思とは関係なく、ＩＣカードに記憶されているデータにアクセスされてしまうおそれがある。これにより、ＩＣカードに格納されているデータの変更や改ざん等不正に使用されてしまうという問題がある。
【０００５】
本発明は上述した事情に鑑みてなされたものであって、簡易な構成で、リーダライタ部とＩＣカードとの通信を規制することができるＩＣカード用ケースを提供することを目的とする。
【課題を解決するための手段】
【０００６】
上記目的を達成するために、本発明は、以下の手段を提供する。
【０００７】
本発明のＩＣカード収納体は、リーダライタ部との間で無線通信を行うＩＣカードを収納可能なＩＣカード収納体において、前記リーダライタ部と前記ＩＣカードとの間の通信効率を正規の通信状態に比べて低下させる通信規制手段を備えることを特徴としている。
【０００８】
この本発明に係るＩＣカード収納体においては、ＩＣカードを収納している状態では、通信規制手段によりリーダライタ部から送信された高周波信号を受信することができなくなるため、自分の意思とは関係のないリーダライタ部との通信を防御することが可能となる。また、ＩＣカードを使用するときは、ＩＣカード用収納体から取り出すことにより、正常にリーダライタ部との通信を行うことができる。
【０００９】
また、本発明のＩＣカード用収納体は、前記通信規制手段が、前記無線通信に使用される高周波信号または前記高周波信号の近傍の周波数に共振する共振回路を有することを特徴としている。
【００１０】
この本発明に係るＩＣカード用収納体においては、ＩＣカードを収納している状態で、リーダライタ部が近づくと、リーダライタ部から送信された高周波信号により、ＩＣカード及びＩＣカード用収納体において誘導磁場が発生する。このとき、ＩＣカード収納体により、リーダライタ部から発生する磁場が吸収されるため、ＩＣカードに設けられたアンテナ部に生じる起電力が減少する。したがって、ＩＣカードのアンテナ部を駆動するのに十分な起電力が得られないことになり、ＩＣカード内の情報がリーダライタ部から読み取られることを抑制することができる。
【００１１】
また、本発明のＩＣカード収納体は、前記通信規制手段が、前記共振回路を開状態または閉状態に切り替える切り替え部と、前記切り替え部を駆動させるスイッチ部とを備えることを特徴としている。
【００１２】
この本発明に係るＩＣカード収納体においては、ＩＣカードを収納している状態で、リーダライタ部と通信を行う場合あるいは通信を拒否したい場合に、スイッチ部を操作することにより、共振回路の切り替え部が開状態または閉状態に切り替えられる。したがって、ＩＣカード収納体にＩＣカードを収納したまま、簡易な操作でリーダライタ部との通信を制御することができる。
【発明の効果】
【００１３】
本発明に係るＩＣカード収納体によれば、通信規制手段を設けることにより、リーダライタ部との通信を規制することが可能となる。したがって、データの変更や改ざん等による不正を防止することができる。
【発明を実施するための最良の形態】
【００１４】
以下、本発明の第１実施形態に係るＩＣカード収納体について図１及び図２を参照して説明する。
【００１５】
本実施形態に係るＩＣカードケース（ＩＣカード収納体）１は、図１に示すように、長方形状に形成されたＩＣカード２を収納可能になっている。また、ＩＣカードリーダライタ（リーダライタ部）３は、このＩＣカード２に対して、非接触状態で少なくとも金額を含む情報をＩＣチップとの間で通信可能なものである。すなわち、ＩＣカードリーダライタ３のループアンテナが配設されている部位の上方（例えば、１００ｍｍ以内）にＩＣカード２をかざすことにより、ＩＣカードリーダライタ３とＩＣカード２との間で電力伝送及びデータ伝送が行われる。このように、ＩＣカード２は、ＩＣカードリーダライタ３から無線によって送信された電力で動作するものであり、ＩＣカード２への書き込みデータ等の情報が、ＩＣカードリーダライタ３からＩＣカード２へ無線によって通信されるとともに、ＩＣカード２からＩＣカードリーダライタ３へ無線によって通信されるようになっている。
【００１６】
ＩＣカードリーダライタ３は、図２に示すブロック図のように、電磁結合された非接触ＩＣカード２に対しデータの読み出し及び書き込みを行うものであり、外部への通信制御を行うＣＰＵ３１と、ＩＣカード２へデータを送信する送信部３２と、ＩＣカード２からのデータを受信する受信部３３と、ＩＣカード２のアンテナ部２１と電磁結合するアンテナ部３４と、ＩＣカード２側とアンテナ部３４との間で最適な電磁結合が行われるようにインピーダンスをマッチングさせ、反射を防止するための整合回路３５とが設けられている。また、アンテナ部３４のループコイルの寸法は、縦が２００ｍｍ、横が１００ｍｍとなっている。すなわち、ＩＣカードリーダライタ３は、アンテナ部３４からＩＣカード２に対し高周波信号（例えば、１３．５６ＭＨｚ）を送信するとともに、高周波信号を受信するようになっている。
【００１７】
ＩＣカード２は、ＩＣカードリーダライタ３のアンテナ部３４と、データの変復調を行う変復調部２２と、ＩＣカードリーダライタ３から送信された電力及びデータを制御するＣＰＵ２３と、読み出し及び書き込みを行うメモリ部２４とを備えている。また、ＩＣカード２のアンテナ部２1には、ＩＣカードリーダライタ３から送信された高周波信号を受信するコイル２１ａと、受信した電磁波に対し共振するキャパシタ２１ｂとが搭載されている。このコイル２１ａとキャパシタ２１ｂとにより構成された共振周波数は１３．５６ＭＨｚとなっている。
【００１８】
ＩＣカードケース１は、ＩＣカードを出し入れ可能な開口部１１を有し、この開口部１１よりＩＣカード２を収納可能な箱形状となっている。
【００１９】
また、このＩＣカードケース１は、コイル１３ａとキャパシタ１３ｂとを有しており、これらは相互に接続され共振回路（通信規制手段）１３を形成している。そして、この共振回路１３の共振周波数は、ＩＣカード２と同様に１３．５６ＭＨｚとなっている。
【００２０】
次に、上記のように構成されたＩＣカードケース１の使用方法について説明する。
【００２１】
ＩＣカード２とＩＣカードリーダライタ３との通信を行うには、まず、ＩＣカードリーダ１のＣＰＵ１１は、ＩＣカード２との間の電磁結合の有無を検出するために、周期的にＩＣカード２側へコマンドデータを送信する。このコマンドデータは、送信部１３へ送られ、送信部１３で変調される。変調されたコマンドデータは、整合回路１４及びアンテナ部１５を介し、ＩＣカード２側へ送信される。
【００２２】
ここで、ＩＣカードリーダライタ３のアンテナ部３４に交流電圧を印加し、電磁界を発生させる。このとき、ＩＣカード２がＩＣカードリーダライタ３のアンテナ部３４に近接（上方約１００ｍｍ）すると、ＩＣカード２のコイル２１ａが、ＩＣカードリーダライタ３のアンテナ部３４から出力される電磁界を受ける。これにより、ＩＣカード２のアンテナ部２１とＩＣカードリーダライタ３のアンテナ部３４との間には電磁誘導が生じ、ＩＣカード２のコイル２１ａに電流が流れる。すなわち、ＩＣカードリーダライタ３のアンテナ部３４を介してＩＣカード２側へ起電力が供給されることになる。これにより、ＩＣカード２の変復調部２２，ＣＰＵ２３及びメモリ２４に起電力が供給され、変復調部２２，ＣＰＵ２３及びメモリ２４は動作可能状態になる。ＩＣカードリーダライタ３からアンテナ部３４を介して送信されるデータは、ＩＣカード２の変復調部２２により受信されて復調され、ＣＰＵ２３へ出力される。これにより、ＣＰＵ２３はこの復調データをコマンドデータとして受信する。
【００２３】
次いで、ＩＣカード２のＣＰＵ２３は、ＩＣカードリーダライタ３からのコマンドデータを受信すると、一定時間が経過した後に、レスポンスデータを変復調部２２へ出力する。変復調部２２はこのレスポンスデータを振幅変調してアンテナ部２１からＩＣカードリーダライタ３側へ送信する。ＩＣカード２から送信された送信データは、ＩＣカードリーダライタ３のアンテナ部３４及び整合回路３５を介して受信部３３で受信され、レスポンスデータとして復調される。そして、このレスポンスデータは、ＣＰＵ１１へ送られる。
【００２４】
さらに、ＩＣカードリーダライタ３のＣＰＵ３１はこのレスポンスデータを受信すると、ＩＣカード２がＩＣカードリーダライタ３と電磁結合されたと認識する。そして、電磁結合したＩＣカード２のＣＰＵ２３とデータ通信を行い、ＩＣカード２内のメモリ２４に格納されているデータの読み出しやメモリ２４へのデータの書き込みを行う。この状態を正規の通信状態とする。
【００２５】
ここで、ＩＣカードケース１の開口部１１からＩＣカード２を収納している状態で、ＩＣカードリーダライタ３が近づくと、ＩＣカードリーダライタ３から発生する磁場が、ＩＣカードケース１の共振回路１３により吸収される。このため、ＩＣカード２に設けられたアンテナ部２１に生じる起電力が減少する。したがって、アンテナ部２１を駆動するのに十分な起電力が得られないことになり、ＩＣカードリーダライタ３とＩＣカード２との通信効率を、上述した正規の通信状態に比べて低下させることになる。
【００２６】
上述したように、本実施形態に係るＩＣカードケース１によれば、ＩＣカード２の保持者が、ＩＣカードケース１にＩＣカード２を収納している状態では、ＩＣカード２の保持者の意志とは関係のないデータの漏洩を防止することができる。すなわち、ＩＣカード２内の情報がＩＣカードリーダライタ３から読み取り及び書き込まれることを抑制することができる。
【００２７】
なお、本実施形態において、ＩＣカードケース１に加えて、図３（ａ）及び図３（ｂ）に示すように、共振回路を開状態または閉状態に切り替える切り替え部４１と、切り替え部４１を駆動させるプッシュスイッチ（スイッチ部）４２とを備えているカードケース４０としても良い。
【００２８】
このプッシュスイッチ（スイッチ部）４２は、共振回路１３のコイル１３ａの電気的な配線の一部を導通させている。これにより、押している間だけ接点が開き、回路を開放する方式のスイッチであり、モーメンタリタイプのものである。この構成の場合には、プッシュスイッチ４２を押圧していない状態においては、共振回路１３が形成されているため、ＩＣカード２のアンテナ部２１を駆動するのに十分な起電力が得られないことになり、ＩＣカードリーダライタ３とＩＣカード２との通信を行うことができなくなる。一方、ＩＣカード２の保持者の意志で使用する場合は、プッシュスイッチ４２を押圧することにより、共振回路１３の一部が切断される。これにより、ＩＣカードリーダライタ３から発生する磁場がＩＣカードケース１に吸収されないため、ＩＣカードリーダライタ３とＩＣカード２との通信を可能とする。
【００２９】
また、共振回路１３を切断する方法として、プッシュスイッチ４２を用いたが、これに代えて、スライドスイッチを用い、共振回路１３の切断及び接続を制御させても良い。
【００３０】
また、図４に示すように、ＩＣカードケース１の形状としては、折りたたみ式カードケース５０であっても良い。このカードケース５０は、ＩＣカード２を出し入れ可能な開口部５１ａを有し、ＩＣカード２を収納可能なカード保持部５１と、共振回路１３を有する通信妨害部５２とが、互いにヒンジ部５３を介して揺動可能に連結されている。これにより、図４（ａ）に示すように、折りたたみ式カードケース５０を開いた状態ではＩＣカードリーダライタ３との通信が可能となり、図４（ｂ）に示すように、閉じた状態では通信が不能となる。したがって、ＩＣカードケース１にＩＣカード２を収納したまま、簡易な操作でＩＣカードリーダライタ３との通信を制御することができる。
【００３１】
さらに、ＩＣカードの形状を長方形状としたが、これに限らず、楕円形状でも構わないし、直線と円弧を組み合わせた形状でも構わない。この場合、ＩＣカードケースが、このような形状のＩＣカードを収納及び保持可能な形状であれば同様の効果が得られる。
【００３２】
また、ＩＣカードケースの形状として、箱形状としたが、これに限るものではなく、巾着袋形状，ＩＣカードを収納可能な定期入れや財布，名刺入れ等の収納体であっても良い。
【００３３】
なお、本発明の技術範囲は上記各実施の形態に限定されるものではなく、本発明の趣旨を逸脱しない範囲において種々の変更を加えることが可能である。
【図面の簡単な説明】
【００３４】
【図１】本発明の一実施形態に係るＩＣカードケースにＩＣカードを収納した状態を示す模式図である。
【図２】本発明の一実施形態に係るＩＣカード及びＩＣカードリーダライタの構成を示すブロック図である。
【図３】本発明の一実施形態に係るＩＣカードケースの他の変形例を示し、（ａ）ＩＣカードケースの斜視図であり、（ｂ）は模式図である。
【図４】本発明の一実施形態に係るＩＣカードケースの他の変形例を示し、（ａ）はＩＣカードリーダライタと通信可能な状態の模式図であり、（ｂ）はＩＣカードリーダライタと通信不可能な状態の模式図である。
【符号の説明】
【００３５】
１  ＩＣカードケース（ＩＣカード収納体）
２  ＩＣカード
３  ＩＣカードリーダライタ（リーダライタ部）
１２  筐体
１３  共振回路（通信規制手段）
２１  ＩＣカードのアンテナ部
４１  切り替え部
４２  プッシュスイッチ（スイッチ部）
【図１】
2005267504.tif 000003
【図２】
2005267504.tif 000004
【図３】
2005267504.tif 000005
【図４】
2005267504.tif 000006